(57)【要約】【課題】柱状消しゴムの角を再生することができるキャップ及びキャップを有するペン型消しゴムを提供する。【解決手段】筒状のキャップは、細長い柱状消しゴムを出し入れできるように筒ケースに収納しているペン型消しゴムに、脱着自在に被着される。キャップとペン型消しゴムは、互いに接触面を摺動させて、相対的に回転できるようにしている。さらにキャップは、先端部に柱状消しゴムを中心軸と交差する方向に切断するカッターを備える。カッターは、柱状消しゴムの切断方向に傾動できるように回転軸を介してキャップに連結される。カッターをキャップ外に移動させた状態で、ペン型消しゴムがキャップに挿入される。この状態で、カッターが切断方向に傾動されて柱状消しゴムの先端部を切断する。【選択図】図３
2008114467.tif 000002
【特許請求の範囲】
【請求項１】
細長い柱状消しゴム(24)を出し入れできるように筒ケース(27)に収納しているペン型消しゴム(20a)に脱着自在に被着されるキャップ(2a)であって、
全体の形状を筒状とし、先端部に柱状消しゴム(24)を中心軸と交差する方向に切断するカッター(6)を備えており、ペン型消しゴム(20a)に被着されて、カッター(6)が柱状消しゴム(24)の先端部を切断するようにしてなるペン型消しゴムのキャップ。
【請求項２】
請求項１に記載のキャップであって、
前記カッター(6)が、柱状消しゴム(24)の切断方向に傾動できるように回転軸(6b)を介してキャップ(2a)に連結され、カッター(6)をキャップ外に移動する状態で、ペン型消しゴム(20a)がキャップ(2a)に挿入され、ペン型消しゴム(20a)が挿入される状態で、カッター(6)が切断方向に傾動されて柱状消しゴム(24)の先端部を切断するようにしてなるキャップ。
【請求項３】
請求項２に記載のキャップであって、
前記カッター(6)が、前記キャップ先端の開口部に連結され、あるいは前記キャップに設けられたスリット(7)を移動するように連結されてなるキャップ。
【請求項４】
請求項３に記載のキャップであって、
前記キャップ(2a)が円柱状で、前記スリット(7)はキャップ(2a)の半周に設けられ、キャップ(2a)に挿入されたペン型消しゴム(20a)を回転させて、柱状消しゴム(24)の先端をカッター(6)で切断するようにしてなるキャップ。
【請求項５】
請求項２に記載のキャップであって、
前記カッターが、傾動されてキャップ内に挿入された柱状消しゴム全体を切断する形状であるキャップ。
【請求項６】
請求項１に記載のキャップであって、
前記カッターが、前記キャップの内面に突出して固定され、このキャップにペン型消しゴム(20a)が回転状態で挿入されて、柱状消しゴム(24)がカッターで切断されるようにしてなるキャップ。
【請求項７】
細長い柱状消しゴム(24)を出し入れできるように筒ケース(27)に収納しているペン型消しゴム(20a)と、このペン型消しゴム(20a)に脱着自在に被着されるキャップ(2a)とを有し、
全体の形状を筒状とし、先端部に柱状消しゴム(24)を中心軸と交差する方向に切断するカッター(6)を備えており、ペン型消しゴム(20a)に被着されて、カッター(6)が柱状消しゴム(24)の先端部を切断するようにしてなるキャップ(2a)を有するペン型消しゴム。
【発明の詳細な説明】
【技術分野】
【０００１】
本発明は、カッターが装着されたキャップと、このキャップを備えるペン型消しゴムに関し、特にペン型消しゴムの角を再生することができるカッター付きキャップ及びこれを備えたペン型消しゴムに関する。
【背景技術】
【０００２】
鉛筆で書かれた文字等の細かい部分をペン型消しゴムで消す場合、ペン型消しゴムとの接触部分が広いと、所望しない文字までが消えてしまうことがある。その際、ペン型消しゴムの角を使用すれば、狭小域のみを消すことができ便利である。しかし通常の直方体状のペン型消しゴムは角が８個所しかなく、しかも一度使用すれば角が取れて曲面となってしまう。
【０００３】
これをふまえ、角をたくさん備えるペン型消しゴムが開発されている（特許文献１）。図８に示されるペン型消しゴムは、１０個の小さな立方体状のペン型消しゴムを、各ペン型消しゴムの角を残したまま合体させたものである。具体的には、各ペン型消しゴムの辺同士のみが互いに接するように互い違いに配置するとともに、互いに接する辺同士を接合し、全体として直方体状に形成されている。このような構成により、外方に突出した角を２８箇所備えることを可能としている。
【０００４】
しかし、実際の使用に際しては、外側に位置する角から順次使用し、これが完全に磨耗して初めて内側に位置する角が出現する。いいかえると、内側の角は出現するまで使用できない。逆に内側のペン型消しゴムが出現すると、その必要がなくても、必ず角を使用しなくてはならず、所望の時に角を使用することができなかった。また、使用するにつれて外側に水平な面が減少していくため、机の上などの平面上に安定して置き辛く、転げて紛失しやすい虞があった。
【０００５】
一方、ペン型消しゴムには次のような問題点もある。すなわち、濃い鉛筆で書かれた文字を消すと、鉛筆の粒子がペン型消しゴムに付着し、黒く汚れてしまうことがある。この状態でペン型消しゴムを使用すれば、ペン型消しゴムの汚れが紙等に付着してしまい、紙面が汚れてしまう。対処法としては、汚れた部分を除去すればよいが、通常、ペン型消しゴムを紙面等と摩擦させて、汚れた個所を削り取っていた。
【特許文献１】特開２００４−３４６２４号公報
【発明の開示】
【発明が解決しようとする課題】
【０００６】
本発明は、この欠点を解決することを目的に開発されたものである。本発明の重要な目的は、角がとれて丸みを帯びた、或いは表面が汚れたペン型消しゴムを、新品同様の消し味に再生できるキャップ及びキャップを有するペン型消しゴムを提供することにある。
【課題を解決するための手段】
【０００７】
本発明のキャップ及びキャップを有するペン型消しゴムは、前述の目的を達成するために以下の構成を備える。
【０００８】
本発明の第１のキャップは、細長い柱状消しゴムを出し入れできるように筒ケースに収納しているペン型消しゴムに脱着自在に被着されるキャップであって、全体の形状を筒状とし、先端部に柱状消しゴムを中心軸と交差する方向に切断するカッターを備えており、ペン型消しゴムに被着されて、カッターが柱状消しゴムの先端部を切断することができる。
【０００９】
本発明の第２のキャップは、カッターが、柱状消しゴムの切断方向に傾動できるように回転軸を介してキャップに連結される。また、カッターをキャップ外に移動する状態で、ペン型消しゴムがキャップに挿入され、ペン型消しゴムが挿入される状態で、カッターが切断方向に傾動されて柱状消しゴムの先端部を切断できる。
【００１０】
本発明の第３のキャップは、カッターが、キャップ先端の開口部に連結され、あるいはキャップに設けられたスリットを移動するように連結されてなる。
【００１１】
本発明の第４のキャップは、キャップが円柱状で、スリットはキャップの半周に設けられ、キャップに挿入されたペン型消しゴムを回転させて、柱状消しゴムの先端をカッターで切断できる。
【００１２】
本発明の第５のキャップは、カッターが、傾動されてキャップ内に挿入された柱状消しゴム全体を切断する形状である。
【００１３】
本発明の第６のキャップは、カッターが、キャップの内面に突出して固定され、このキャップにペン型消しゴムが回転状態で挿入されて、柱状消しゴムがカッターで切断される。
【００１４】
本発明の第７のキャップを有するペン型消しゴムは、細長い柱状消しゴムを出し入れできるように筒ケースに収納しているペン型消しゴムと、このペン型消しゴムに脱着自在に被着されるキャップとを有し、全体の形状を筒状とし、先端部に柱状消しゴムを中心軸と交差する方向に切断するカッターを備えており、ペン型消しゴムに被着されて、カッターが柱状消しゴムの先端部を切断できる。
【発明の効果】
【００１５】
本発明のキャップ及びキャップを有するペン型消しゴムによると、キャップに備えられたカッターにより、丸みを帯びたペン型消しゴムの先端領域を切断でき、ペン型消しゴムの角が再生される効果を有する。同じく汚れたペン型消しゴムの先端領域をも切断でき、これにより新品同様の消し味となる。
【発明を実施するための最良の形態】
【００１６】
以下、本発明の実施例を図面に基づいて説明する。ただし、以下に示す実施例は、本発明の技術思想を具体化するためのキャップ及びキャップを有するペン型消しゴムを例示するものであって、本発明はキャップ及びキャップを有するペン型消しゴムを以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【実施例１】
【００１８】
実施例１のキャップを有するペン型消しゴム１を図１に示す。このキャップを有するペン型消しゴム１は、ペン型消しゴム２０ａとキャップ２ａから構成される。さらに、ペン型消しゴム２０ａは、細い棒状の柱状消しゴム２４と、この柱状消しゴム２４を内部に収容でき、かつ柱状消しゴム２４を出し入れ可能な筒ケース２７とを備える。筒ケース２７を構成する筒ケース本体２５の先端（図１における下端）には、筒ケース本体２５の径よりも小さい径を有し、先細な円錐台状の筒ケース口２６が連結されている。この径の差より、筒ケース本体２５と筒ケース口２６との連結部には段差２５ａを有している。また、筒ケース本体２５の後端（図１における上端）には、ノックカバー２１が装着されている。ノックカバー２１は、下方に押圧されると下側へ移動し、押圧が解除されると元の位置に戻る。このペン型消しゴム２０ａの詳細な構造は後述するが、概要は、ノックカバー２１が下方に押されると、この動きに連動して、柱状消しゴム２４が筒ケース口２６の開口部から所定の長さだけ突出される。
【００１９】
さらに、図１に示されるキャップ２ａの外観は、全体の形状を筒状としており、また、内部にはペン型消しゴムを挿入するために、一方向に開口された空洞部を有する。開口部の反対側には、外部に閉じた底板５ｂが備わる。キャップ２ａは、ペン型消しゴム２０ａに脱着自在に被着可能であり、キャップ２ａの空洞部内には、ペン型消しゴム２０ａの先端領域を嵌め合わすことができる。これにより筒ケース２７の開口部が開閉可能となる。
【００２０】
（キャップの形状）
さらに図２を用いて、キャップ２ａの構造を詳細に説明する。図２は、図１のペン型消しゴム２０ａとキャップ２ａが嵌合した状態の、ＩＩ−ＩＩ’線における断面図を示す。キャップ２ａの側面５ａの厚みを、内側に変化させることで、キャップ２ａの内側空間の一部形状を、ペン型消しゴム２０ａの先端領域の外径形状とほぼ同じとしている。これによりペン型消しゴム２０ａとキャップ２ａが位置ずれすることなく嵌合できる。具体的に、キャップ２ａの開口部から底板５ｂにかけての内部形状を述べる。キャップ２ａの内径は開口部で最も大きく、筒ケース本体２５の外径とほぼ同じである。さらに、キャップ２ａの内側における、筒ケース本体２５と筒ケース口２６との連結部が当接する位置で、両者の段差２５ａの分だけ内径が小さくなる。つまりキャップ２ａの内側にも段差が生じ、この段差を第１ストッパー４ａと称す。また、筒ケース口２６の円錐台状に併せて、キャップ２ａの内径はテーパー状に徐々に細くなる。この際、キャップ２ａのテーパー状の傾斜具合を、筒ケース口２６側のそれよりも大きくすることもできる。これにより、キャップ２ａとペン型消しゴム２０ａとを嵌合させた際の、キャップ２ａの締まりが大きくなり、キャップ２ａのはずれを防止できる。
【００２１】
さらに、筒ケース口２６の開口部先端が当接する位置において、筒ケース口２６の側面の厚さ分だけ、キャップ２ａの内径が小さくなり、ここでも段差を生じる。この段差を第２ストッパー４ｂと称す。また、第２ストッパー４ｂより底板５ｂにかけての内径は一定とし、略円柱状の挿入領域３が生じる。
【００２２】
ペン型消しゴム２０ａをキャップ２ａ内に進入させると、ペン型消しゴム２０ａの筒ケース本体２５と筒ケース口２６との連結部における段差２５ａが、キャップ２ａの第１ストッパー４ａに当接され、同時に、筒ケース口２６の先端が、キャップ２ａの第２ストッパー４ｂに当接される。これによりペン型消しゴム２０ａの進入は停止する。この際、筒ケース口２６の開口部先端と、キャップ２の底板５ｂは離れて接触することなく、両者間には挿入領域３が在する。つまり、キャップ２ａのストッパー４ａ、４ｂは、ペン型消しゴム２０ａの前後方向（図２における下上方向）における嵌合位置を決定する。また、ペン型消しゴム２０ａにキャップ２ａを被着した状態で、キャップとペン型消しゴムは、互いに接触面を摺動させて、相対的に回転できるようにしている。
【００２３】
ところで、ストッパー４ａ、４ｂは、ペン型消しゴム２０ａとキャップ２ａとの嵌合位置を決定しつつ嵌合状態を維持し、また嵌合を解除できる機能を有しておれば、その形状は特に限定されない。例えば、ペン型消しゴム２０ａとキャップ２ａとの当接位置近傍において、両者に突起を設けたものでもよい。ペン型消しゴム２０ａとキャップ２ａが嵌合する方向へ、互いの突起を乗り超えるまで押圧する。乗り越えた突起同士は互いに掛かり止めされ、ペン型消しゴム２０ａとキャップ２ａの嵌合を維持できる。嵌合を解除するときは、ペン型消しゴム２０ａとキャップ２ａが離間する方向へ引っ張り、再び互いの突起を越えさせることにより分離される。
【００２４】
また、図１、２に示すように、キャップ２ａの側面５ａには、スリット７を設けている。スリットは、カッターが柱状消しゴムを切断する方向にスリット７を設けている。カッターは、好ましくは、柱状消しゴムを中心軸に対して直交する方向に切断する。このカッターで切断される柱状消しゴムは、先端の切断面が中心軸に対して直交する平面となり、切断面と柱状消しゴムの側面との角度が直角となる。ただ、本発明のキャップは、カッターの切断方向を柱状消しゴムの中心軸に対して直交する方向には特定しない。カッターが、柱状消しゴムを中心軸に対して傾斜する方向に切断しても、柱状消しゴムの先端には角ができるからである。柱状消しゴムを中心軸に対して傾斜する姿勢で切断するカッターは、たとえば、柱状消しゴムの中心軸に直交する面に対する傾斜角を４５度よりも小さくする。傾斜角が４５度よりも大きくなると、カッターで切断される角の角度が大きくなるからである。
【００２５】
スリット７は、キャップの中間に、カッターを傾動できるように連結するために設けられる。図示しないが、キャップの先端を開口し、この開口部にカッターを傾動できるように設けるキャップは、スリットを設けることなく、カッターをキャップに傾動できるように連結できる。
【００２６】
図３のキャップは、底板５ｂと平行にスリット７を設けている。スリット７は、円筒状であるキャップの約半周に設けている。このスリットに沿ってカッターを傾動して、挿入領域にある柱状消しゴムの先端を切断する。したがって、カッターは、このスリット７に沿って傾動できるように、回転軸を介してキャップに連結される。スリット７は、少なくともカッター６が通過できる幅を有する。図１のＩＩ−ＩＩ’線におけるキャップ２ａの断面図を図３に示し、図３を用いてカッター６について詳細に説明する。
【００２７】
図３に示す実施例１のカッター６は、硬質プラスチック、あるいは金属等の細い平板状部材からなる。また、カッター６は、スリット７を通ってキャップ２ａの挿入領域に案内される。図１〜図５のキャップは、ペン型消しゴムに対して相対的に回転されて、柱状消しゴムを切断する。したがって、カッターは、図５に示すように、挿入領域に入れられる状態で、柱状消しゴムの半分以上を切断する。このことから、キャップの約半周に設けられるスリットは、正確にはキャップの半分よりも長く設けられる。カッター６は、回転軸を介して一端を介してキャップに連結している。回転軸は、キャップの中心軸と平行な方向にあって、カッターをスリットに沿って傾動できるように、キャップに連結する。この回転軸６ｂは、スリット７の一端部にあって、その両端をスリットの内面に連結している。回転軸を介して傾動されるカッター６は、回転軸の反対側の端部にレバー６ａを設けている。さらに、回転軸６ｂとレバー６ａとの間であって、挿入領域にある部分には、刃８ａを設けている。
【００２８】
また、カッター６は、レバー６ａをキャップ２ａの外部に突出させている。外部に突出するレバー６ａのあるカッター６は、ここを手でつかんでカッターを傾動させて、刃８ａを挿入領域に出し入れできる。このカッター６は、スリット７の開口領域に沿って、底板５ｂと平行な方向に、回転軸６ｂを中心にして傾動される。さらにカッター６は、スリット７の端において、レバー６ａと、キャップ２ａの側面５ａとが当接された位置Ａ（図３と図５の実線で示す位置）にて回動が停止される。図３と図５に示すように、位置Ａにおける刃８ａは、キャップ２の内径のほぼ中心部を通過しつつ内側の挿入領域を貫通する。
【００２９】
位置Ａにあるカッター６は、図においてレバー６ａを約９０度上方へ移動して、位置Ｂ（図３と図５の破線で示す位置）に移動させる。位置Ｂにあるカッター６は、刃６ａをキャップ２ａの挿入領域から外部に移動させる。この状態で、キャップにペン型消しゴムが挿入される。カッターをこの位置にするキャップは、後述するが、ペン型消しゴム２０ａをキャップ２ａ内に挿入するとき、柱状消しゴムがカッター６に当接することなく、所定の位置まで進入できる。
【００３０】
（切削）
キャップ２ａによる柱状消しゴム２４の切削方法を図４を用いて説明する。図４のキャップを有するペン型消しゴム１は、使用して尖端が丸くなった柱状消しゴム２４を有するペン型消しゴム２０ａである。
【００３１】
（ペン型消しゴム）
まず、図２及び４を用いて、実施例１のペン型消しゴム２０ａの構造、及び柱状消しゴム２４を筒ケース２７より突出させる方法を説明する。ノックカバー２１はチャック体３０及び締め具３１と連接されている。また、チャック体３０の側方にはスプリング２９が当接される。このスプリング２９は常に後方（図２及び４における上方）に付勢されるため、同様にチャック体３０も後方に付勢されている。この付勢に反して、ノックカバー２１を下方に押圧すると、ノックカバー２１と連結されたチャック体３０と締め具３１が連動して前進（図２及び４において下へ移動）する。チャック体３０は柱状消しゴム２４を狭着しているため、チャック体３０の前進にともない、柱状消しゴム２４も前進する。さらに、締め具３１の下端が、筒ケース口２６の上端に位置する締め具受け部３２と当接して前進を阻止されると、チャック体３０が更に前進する。チャック体３０は前進するにしたがって、その尖端がテーパー状に拡がるため、これにより柱状消しゴム２４の狭着加減がゆるまる。これにより、柱状消しゴム２４は、自重によってチャック体３０の尖端開口部を挿通し、筒ケース口２６より繰り出される。ただし、ペン型消しゴムは実施例１のようなノック式に限らず、角がとれた柱状消しゴムを、筒ケースより突出させることができるものであれば特に限定しない。これにより筒ケースを簡易な構造とすることができる。また、柱状消しゴム２４の形状は棒状に限定されず、四角柱、断面形状が多角形等のものを好適に利用できる。これにより、後述する、柱状消しゴム２４の先端が切断された際、再生される角の形状や個数を任意のものとできる。
【００３２】
（切削手順）
次に柱状消しゴム２４の丸くなった尖端を切削する方法を説明する。図５は図３のＶ−Ｖ’線におけるキャップ２ａの断面図である。図３、５に示すように、レバー６ａをつかんでカッター６を位置Ｂに位置させる。この状態で、図４に示すように、ペン型消しゴム２０ａをキャップ２ａの挿入領域に進入させると、キャップ２ａのストッパー４ａ、４ｂに、筒ケース２７の段差２５ａ及び筒ケース口２６の先端が当接し、ペン型消しゴム２０ａの進入が停止する。引き続いて、キャップ２ａのレバー６ａを回動させて、カッター６を位置Ａまで傾動させる。このカッター６の回動にともなって、刃８ａは挿入領域にある柱状消しゴム２４を切削する。カッター６が位置Ａで停止した際、柱状消しゴム２４は約半分が切断された状態であり、その切断面は略半円状である。さらに、この状態でペン型消しゴム２０ａとキャップ２ａが相対的に回転される。具体的には、ペン型消しゴム２０ａまたはキャップ２ａのどちらかを固定し、もう片方を半回転させる。これによりカッター６の刃８ａが柱状消しゴム２４を完全に切断する。切断された柱状消しゴム２４の先端片は、キャップ２ａの挿入領域３内に収納され、散乱するのを防げる。
【００３３】
丸まった先端が切断された柱状消しゴム２４は、角が再生され、これにより緻密な個所を消去することが可能となる。また、鉛筆の芯の粒子等により汚れた先端領域を除去でき、新品同様の消し味となる。
【００３４】
（バネ）
また、図５に示す実施例１のカッター６にバネ６ｃを装着させてもよい。バネ６ｃは、カッター６を図５において、位置Ｂから位置Ａの方向に弾性的に押圧している。このバネは、一端をキャップに、他端をカッター６に連結している。さらに、図に示すバネはコイルバネで、回転軸６ｂに１回或いは複数回巻き付けて、端部をキャップとカッターに連結している。キャップにペン型消しゴムを挿入するとき、バネ６ｃの弾性に反して、レバー６ａを上方に押圧して、カッターを傾動させる。この状態で、キャップにペン型消しゴムを挿入し、その後、レバーを離すと、バネ６ｃの復元力によりカッター６が位置Ａに移動されて、柱状消しゴムを切断する。このキャップは安全に使用できる特徴がある。それは、バネがカッター６の刃８ａを挿入領域に移動して、外部に露出させないからである。このキャップは、バネの太さや巻き数でバネの弾性を調整して、カッターが柱状消しゴムを切削する押圧力をコントロールできる。
【００３５】
（係止め）
また、カッター６の回動位置が所定の位置で停止できるようにすることも可能である。図５に示す実施例１のカッター６は、回転軸６ｂを有する一端側の両端の２角の内、スリットと当接する側の角６ｅのみ、丸みを帯びており、他端の角６ｄは尖端角である。位置Ａに在するカッター６を位置Ｂ側へと回動させるに従って、丸角の領域６ｅの円弧状の外面は、キャップ２ａのスリットの一端である水平面７ｂと順次当接していく。そして、カッター６が位置Ｂに在するとカッター６の角６ｅが、スリットの水平面７ｂに当接し、これが係止めとなってこれ以上回動できなくなる。これにより刃８ａの外部へ露出面積を低減でき、安全性が高まる。またカッター６の係止め位置やその回数、係止めの構造はこれに限定されない。さらに、キャップ２ａの材質は、硬質プラスチックやＰＥＴ等の耐性に優れたものであれば特に限定しないが、透明なものが好適である。なぜならキャップに装着されたカッターとペン型消しゴムとの当接具合を確認できるからである。
【実施例２】
【００３６】
実施例２のキャップ２ｂは、キャップにペン型消しゴムを挿入する状態で、キャップとペン型消しゴムとを相対的に回転することなく、柱状消しゴムの先端全体をカッターで切断する。図６は、実施例２のキャップ２ｂの端面図を示す。実施例２のキャップ２ｂは、実施例１のキャップ２ａのカッター３６のみが異なる。さらに具体的にはカッターの刃の形状のみが異なり、他の構造等は全て同じである。重複する構造については説明を省略する。
【００３７】
実施例２のキャップ２ｂにおいて、レバーが位置Ａにある状態、すなわちカッター３６が最大に傾動した状態で、刃８ｂは、キャップ内に挿入された柱状消しゴム全体を切断できる形状を有する。すなわち、カッター３６の回動範囲内で、この回動面におけるキャップ２ｂの内壁の全周と、刃８ｂが順次近接する。つまり回動面における柱状消しゴム２４全てに、刃８ｂが当接する。したがって、ペン型消しゴム２０ａ又はキャップ２ｂを相対的に回転させることなく、柱状消しゴム２４の先端を一気に切断することができる。具体的に、実施例２の刃８ｂの形状は略半円状をなしている。
【００３８】
実施例２のキャップ２ｂの使用方法を説明する。実施例１と同様に、ペン型消しゴム２ａの、尖端の角がとれが柱状消しゴム２４を突出させる。キャップ２ｂのカッター３６を位置Ａに在する状態で、ペン型消しゴム２ａをキャップ２ｂ内に進入さす。ペン型消しゴム２ａは、キャップ２ｂ内のストッパー４ａ、４ｂにより位置決めされ、進入が停止される。この状態でカッター３６を位置Ｂより位置Ａへと回動させると、刃８ｂは柱状消しゴム２４に当接し、さらに柱状消しゴム２４を切り込み始める。引き続き、カッター３６が位置Ａに到達するとほぼ同時に、刃８ｂがキャップ２ｂの内部空間壁に近接する。これにより、柱状消しゴム２４の先端部が完全に切断され、新しい角が再生される。
【００３９】
また、実施例２のキャップ２ｂでは、ペン型消しゴムの先端を切断する際、ペン型消しゴムの筒ケースとキャップとの接触面を摺動させて回転させる必要がないため、筒ケース及びキャップの形状は筒状に限定されない。また、両者が嵌合できれば、その外観形状は同一でなくてもかまわない。
【実施例３】
【００４０】
実施例３のキャップ２ｃの断面図を図７に示す。このキャップ２ｃは、実施例１及び２と同様の筒状をなしており、カッター５６以外の構造は同様である。実施例３のカッター５６はキャップ２ｃの内面に突出して固定されている。また、刃８ｄは略鎌形状をなしており、刃８ｄの先端部はキャップ２ｃの内径のほぼ中心に位置する。
【００４１】
柱状消しゴム２４の丸くなった先端部をペン型消しゴム２０ａより突出させ、これを回転状態でキャップ２ｃ内に挿入させる。ペン型消しゴム２０ａはストッパー（図示せず）で停止されると共に、突出した柱状消しゴム２４の先端中央部が、キャップ２ｃ内のカッター８ｄの刃先に当接する。この状態で、ペン型消しゴム２０ａとキャップ２ｃとの接触面を摺動させ、両者の当接位置を１周分ずらす。例えば、ペン型消しゴム２０ａまたはキャップ２ｃのどちらかを固定し、もう片方を１回転させる。これにより、カッター５６の回転面において、カッター５６の刃８ｄが柱状消しゴム２４全てに当接し、柱状消しゴム２４の先端部が全て切断される。
【図面の簡単な説明】
【００４２】
【図１】実施例１に係るキャップを有するペン型消しゴムを示す斜視図である。
【図２】実施例１に係る断面図である。
【図３】実施例１に係る要部断面斜視図である。
【図４】実施例１に係る断面図である。
【図５】実施例１に係る要部断面図である。
【図６】実施例２に係る要部断面図である。
【図７】実施例３に係る要部断面図である。
【図８】従来のペン型消しゴムを示す斜視図である。
【符号の説明】
【００４３】
１…キャップを有するペン型消しゴム
２ａ、２ｂ、２ｃ…キャップ
３…キャップの挿入領域
４ａ…第１ストパー
４ｂ…第２ストッパー
５ａ…キャップの側面
５ｂ…キャップの底板
６、３６、５６…カッター
６ａ…レバー
６ｂ…回転軸
６ｃ…バネ
６ｄ、６ｅ…角
７…スリット
７ｂ…水平面
８ａ、８ｂ、８ｄ…刃
２０ａ…ペン型消しゴム
２１…ノックカバー
２４…柱状消しゴム
２５…筒ケース本体
２５ａ…段差
２６…筒ケース口
２７…筒ケース
２９…スプリング
３０…チャック体
３１…締め具
３２…締め具受け部
【図１】
2008114467.tif 000003
【図２】
2008114467.tif 000004
【図３】
2008114467.tif 000005
【図４】
2008114467.tif 000006
【図５】
2008114467.tif 000007
【図６】
2008114467.tif 000008
【図７】
2008114467.tif 000009
【図８】
2008114467.tif 000010